(57)【要約】【課題】バリアングル液晶表示部を有する機器において、バリアングル液晶表示部が開放状態であっても収納状態と変わらない操作性を実現する事が出来る撮像装置を提供すること。【解決手段】撮像装置本体とタッチ操作可能な表示部を有する撮像装置であって、タッチ操作可能な表示部は撮像装置本体とは独立して表示部の方向を回転できる機構により撮像装置本体と接続されており、表示部が撮像装置に収納状態の第１の状態と、表示部が撮像装置から略開放状態の第２の状態を検出する検出部を持ち、検出部が表示部の位置が第２の状態であると検出した場合には、撮像装置本体と接続している回転機構の近傍に配置されている操作部材の内の全てあるいは操作頻度の高い操作部材の内、少なくとも一つをタッチ操作可能なように表示部に上記操作部材と同じ機能を有するアイコンとして表示制御することを特徴とする。【選択図】図７
2017173472.tif 000002
【特許請求の範囲】
【請求項１】
撮像装置本体（１）とタッチ操作可能な表示装置（３０）を有する撮像装置であって、タッチ操作可能な表示装置（３０）は撮像装置本体とは独立して表示部の方向を回転できる機構（３１）により撮像装置本体（１）と接続されており、
タッチ操作可能な表示装置（３０）が撮像装置本体（１）に収納状態の第１の状態と、タッチ操作可能な表示装置（３０）が撮像装置本体（１）から開放状態の第２の状態を検出する検出部（１２２）を持ち、
検出部（１２２）がタッチ操作可能な表示装置（３０）の位置が第２の状態であると検出した場合には、撮像装置本体（１）と接続している回転機構（３１）の近傍に配置されている操作部材の内の全てあるいは操作頻度の高い操作部材の内、少なくとも一つをタッチ操作可能なようにタッチ操作可能な表示装置（３０）に上記操作部材と同じ機能を有するアイコン（７０）（７１）（７２）として表示制御することを特徴とする撮像装置。
【請求項２】
タッチ操作可能な表示装置（３０）が撮像装置本体（１）に収納状態の第１の状態であり、
タッチ操作可能な表示装置の表示面（３０ａ）が表向きか裏向きかを検出する検出部（１２２）を持ち、
検出部（１２２）によって表示面（３０ａ）が表である事を検出した場合には、撮像装置本体（１）と接続している回転機構（３１）の近傍に配置されている操作部材と同じ機能を有するアイコンの表示制御を行わないことを特徴とする請求項１に記載の撮像装置。
【請求項３】
撮像装置本体（１）と接続している回転機構（１２２）の近傍に配置されている操作部材の内の全てあるいは操作頻度の高い操作部材の内、少なくとも一つをタッチ操作可能なようにタッチ操作可能な表示装置（３０）に上記操作部材と同じ機能を有するアイコン（７０）（７１）（７２）として表示する際に、タッチ操作可能な表示装置（３０）の水平方向中心線から上下に均等に表示させることを特徴とする請求項１に記載の撮像装置。
【請求項４】
撮像装置本体（１）と接続している回転機構（１２２）の近傍に配置されている操作部材の内の全てあるいは操作頻度の高い操作部材の内、少なくとも一つをタッチ操作可能なようにタッチ操作可能な表示装置（３０）に上記操作部材と同じ機能を有するアイコン（７１）（７２）として表示する際に、タッチ操作可能な表示装置（３２）の鉛直方向中心線から左右に均等に表示させることを特徴とする請求項１に記載の撮像装置。
【請求項５】
撮像装置本体（１）と接続している回転機構（３１）の近傍に配置されている操作部材の内の全てあるいは操作頻度の高い操作部材の内、少なくとも一つをタッチ操作可能なようにタッチ操作可能な表示装置（３０）に上記操作部材と同じ機能を有するアイコンとして表示する際に、動画撮影モード（９）に設定されている時は、フラッシュ撮影に関係するアイコン（７０）は表示しないことを特徴とする請求項１に記載の撮像装置。
【発明の詳細な説明】
【技術分野】
【０００１】
本発明は、タッチパネル式の液晶表示装置を搭載したデジタルカメラ等の撮像装置に関し、特にタッチパネル式のバリアングル液晶表示部が回転可能に設けられたバリアングルタイプの表示部を持つ撮像装置に関する。
【背景技術】
【０００２】
従来、デジタルカメラ等の撮像機器に関して、２軸や３軸の回転ヒンジで液晶表示画面の方向を自由に変えるバリアングル液晶表示部を有する物が知られている。
【０００３】
この種のデジタルカメラでは、アングル撮影時には、カメラ本体から左右方向あるいは下方向にバリアングル液晶表示部を開き、さらに開いたバリアングル液晶表示部を上下方向にあるいは左右方向に回転させることができる。したがって、利用者は、ハイアングルやローアングルのポジションでもバリアングル液晶表示部の表示面を見ながら楽な姿勢で被写体を確認しながら撮影できるようになった。また、バリアングル液晶表示部を反転させて表示面を表にした状態でカメラの筐体の凹に収納する事で、バリアングル機能を持たないデジタルカメラのような操作感で撮影することも出来る。
【０００４】
また、画面に表示されたアイコン等をペンや指先でタッチすることによって機能を選択するタッチ入力方式を採用することによって操作スイッチの数を削減した情報機器もある。タッチ入力方式は画面を見ながら直感的に操作でき、操作性の向上を図ることができる。また、操作スイッチを必要としないため、機器の小型化やデザインの自由度を上げる効果もある。
【０００５】
デジタルカメラにおいては、タッチ入力機能付きバリアングル液晶表示部を搭載している機種もある。特許文献１では、タッチパネルキーの機能を持つバリアングル液晶表示部を有するデジタルカメラにおいて、バリアングル液晶表示部を反転させて筐体に収納し、その際に隠れてしまう操作部材をバリアングル液晶表示部のタッチパネル上に表示させて、隠れた操作部材の操作をタッチパネルで操作させることで、操作部材の設置場所が少なくなってしまうバリアングル式の問題を補おうとしている。
【先行技術文献】
【特許文献】
【０００６】
【特許文献１】特開２００８−３０５１４０号公報
【発明の概要】
【発明が解決しようとする課題】
【０００７】
しかしながら、上述の特許文献１に開示された従来技術では、バリアングル液晶表示部を反転させて筐体に収納時するといった通常多く使われる状況において、操作部材を覆い隠してしまうという無駄がある。
【０００８】
また、バリアングル液晶表示部は、アングル撮影時にはカメラ本体から左右方向あるいは下方向にバリアングル液晶表示部を開放状態とし、さらには開いたバリアングル液晶表示部を上下方向にあるいは左右方向に回転させることで楽な姿勢で構図やピントを確認出来るので便利である。しかし、バリアングル液晶表示用ヒンジ部の近傍の操作部材を操作する場合には、逆にバリアングル液晶表示部が邪魔になったり、操作部材までの距離が遠くなったりするため、操作性が損なわれてしまう。
【０００９】
そこで、本発明の目的は、バリアングル液晶表示部が開放状態であっても収納状態と変わらない操作性を実現することが出来る撮像装置を提供することにある。
【課題を解決するための手段】
【００１０】
上記の目的を達成するために、本発明に係る撮像装置は、
撮像装置本体とタッチ操作可能な表示部を有する撮像装置であって、タッチ操作可能な表示部は撮像装置本体とは独立して表示部の方向を回転できる機構により撮像装置本体と接続されており、
表示部が撮像装置に収納状態の第１の状態と、表示部が撮像装置から略開放状態の第２の状態を検出する検出部を持ち、
検出部が表示部の位置が第２の状態であると検出した場合には、撮像装置本体と接続している回転機構の近傍に配置されている操作部材の内の全てあるいは操作頻度の高い操作部材の内、少なくとも一つをタッチ操作可能なように表示部に上記操作部材と同じ機能を有するアイコンとして表示制御することを特徴とする。
【発明の効果】
【００１１】
本発明によれば、バリアングル液晶表示部が開放状態であっても収納状態と変わらない操作性を実現することが出来る撮像装置を提供することが出来る。
【図面の簡単な説明】
【００１２】
【図１】第１の実施例のカメラ前面側より見た斜視図
【図２】第１の実施例のカメラ背面側より見た第１の表示状態を表す斜視図
【図３】第１の実施例のカメラ背面側より見た閉じ状態を表す斜視図
【図４】第１の実施例のカメラ背面側より見た第２の表示状態を表す斜視図
【図５】第１の実施例のカメラのハードウェア構成を概略的に示すブロック図
【図６】第１の実施例のカメラの第１の表示状態での各種情報表示図
【図７】第１の実施例のカメラの第２の表示状態での各種情報表示図
【図８】第１の実施例のフラッシュ部がポップアップした時のカメラ前面側より見た斜視図
【図９】第１の実施例のカメラの第２の表示状態でのＭＥＮＵ画面表示図
【図１０】第１の実施例のカメラの動作手順を示すフローチャート
【図１１】第２の実施例のカメラの第１の表示状態でのカメラ背面図
【図１２】第２の実施例のカメラの第２の表示状態での各種情報表示図
【発明を実施するための形態】
【００１３】
以下に、本発明の好ましい実施の形態を、添付の図面に基づいて詳細に説明する。
【００１４】
図１、図２、図３及び図４は本実施の形態に係る撮像装置の例としてのデジタル一眼レフカメラ（以下、カメラと略す）１の外観を示す図である。図１はカメラ前面側より見た斜視図である。
【００１５】
図１において、カメラ１の前面には被写体像を撮像素子に結像させるための撮影レンズ２が交換可能に取り付けられている。
【００１６】
交換レンズ脇には、交換レンズを取り外す際に使用するアンロック釦３が設けられている。
【００１７】
カメラ１の上部には、使用者が必要な時あるいはカメラが必要と判断した時にポップアップしてフラッシュ撮影が出来るようにフラッシュ発光部を収納しているフラッシュ収納部４と、アクセサリーシュー５が配置されている。アクセサリーシュー５は、ストロボ以にもアクセサリーシュー５に嵌るアクセサリーであればストロボ以外のアクセサリーも装着可能である。
【００１８】
また、撮影レンズ２の横には、前記フラッシュ収納部４をポップアップさせるためのポップアップ釦６を備えている。グリップ３５側には、２段階スイッチで構成されているシャッターボタン７、シャッタースピードなどを変更する電子ダイヤル８、撮影モードを選択するモードダイヤル９がある。グリップ３５と撮影光軸を挟んで反対側には、ＵＳＢやＨＤＭＩ(登録商標）と言った通信を行う為の端子部をカバーする端子カバー１０がある。
【００１９】
図２はカメラ背面側より見た斜視図でバリアングル液晶表示部が収納状態で液晶表示面が表を向いている状態（以降、この状態を「第１の表示状態」と呼ぶ）の図である。
【００２０】
図２において、メインスイッチ１１をＯＦＦからＯＮへ位置を切り替える事でカメラ１を起動させる。カメラ１は接眼レンズ群１２などで構成される光学ファインダを通して観察される被写体を撮影する。接眼レンズ群１２は複数のレンズで構成され、視度補正ダイヤル１３を回転させることでレンズ間隔を変更し視度を調整できる。
【００２１】
カメラ１の側面には、着脱可能なメモリーカードを挿入するためのスロットをカバーするメディアカバー１４がグリップの一部として構成されている。
【００２２】
カメラ１の背面のグリップ側には、撮像された画像を拡大するための拡大釦１５、縮小するための縮小釦１６、画像を再生表示するための再生釦１７、撮影した画像を消去する消去釦２２、撮影モードがマニュアルモード時にはレンズの絞り値を、オートモード時には露出補正を行う際に使用するＡＶ／露出補正釦２１が設けられている。
【００２３】
カメラ１の接眼レンズ群１２の脇には、光学ファインダによる被写体の観察から撮像素子での撮像に切換えそのスルー画を表示するライブビュー表示に切り替えるＬＶ釦２０がある。このＬＶ釦２０は、撮影モードを選択するモードダイヤル９によって動画撮影モードが選択された際には、動画撮影のスタート及びストップ釦として機能する。
【００２４】
光学ファインダを挟んで反対側には、バリアングル液晶表示部に表示する表示内容を切り替えるＩＮＦＯ．釦１８、カメラ１の各種設定を変更するＭＥＮＵ画面を表示させるＭＥＮＵ釦１９が配置されている。また、カメラ１の機能設定を行う際に項目を選ぶ十字キーＳＷ２４とその中央部に決定を行うＳＥＴ釦２３が配置されている。
【００２５】
カメラ１の背面中央にはタッチパネル機能を有するバリアングル液晶表示部３０（以降、バリアングル液晶表示部３０と略して記載する）があり、２軸に回動可能なバリアングル液晶表示用ヒンジ部３１によって、バリアングル液晶表示部３０の液晶表示面３０ａがカメラ１の中央部に収納されて表を向いた第一の表示状態になっている。
【００２６】
図３はカメラ背面側より見た斜視図でバリアングル液晶表示部３０がカメラ１の中央部に収納されているが、バリアングル液晶表示部３０の液晶表示面３０ａが裏を向いていて、液晶表示面３０ａが見えない状態（以降、この状態を「閉じ状態」と呼ぶ）の図である。
【００２７】
図４はカメラ背面側より見た斜視図でバリアングル液晶表示部３０がカメラ１から横に開放状態でバリアングル液晶表示部３０の液晶表示面３０ａが使用者側（撮影レンズとは逆方向）を向いている状態（以降、この状態を「第２の表示状態」と呼ぶ）の図である。この状態では、バリアングル液晶表示部３０はさらに上向きや下向きにも回転可能であることは言うまでもない。
【００２８】
図５は本実施の形態に係る撮像装置の例としてのカメラの主要な電気的構成を示すブロック図である。なお、前述の図面と共通する部分は同じ記号で示している。
【００２９】
カメラ１に内蔵されたマイクロコンピュータの中央処理装置（以降、ＭＰＵという）１００は、カメラ１の動作制御を司るものであり、各要素に対して様々な処理や指示を実行する。ＭＰＵ１００にはＥＥＰＲＯＭ１００ａが内蔵されており、各種情報を記憶可能である。ＭＰＵ１００には、ミラー駆動回路１０１、焦点検出回路１０５、シャッタ駆動回路１０９、映像信号処理回路１１３、スイッチセンス回路１２３が接続されている。また、液晶モニタ駆動回路１１９、バッテリチェック回路１３１、電源供給回路１３２、についても接続されている。これらの回路はＭＰＵ１００の制御により動作するものである。
【００３０】
また、ＭＰＵ１００は、撮影レンズユニット内に配置されたレンズ制御回路１５０と、マウント接点１３３を介して通信を行う。マウント接点１３３は撮影レンズユニットが接続されるとＭＰＵ１００へ信号を送信する機能も備えている。これにより、レンズ制御回路１５０は、ＭＰＵ１００との間で通信を行い、撮影レンズユニット内のフォーカスレンズ１５２および絞り１５４の駆動を、ＡＦ駆動回路１５１および絞り駆動回路１５３を介して行うことが可能となる。
【００３１】
なお、本実施の形態では撮影レンズ２を便宜上１枚のフォーカスレンズ１５２で示しているが、実際は多数のレンズ群により構成されている。
【００３２】
ＡＦ駆動回路１５１は、たとえばステッピングモータによって構成され、レンズ制御回路１５０の制御によって撮影レンズ２内のフォーカスレンズ１５２の位置を変化させることにより、撮像素子１１１に撮影光束の焦点を合わせるように調整する。絞り駆動回路１５３は、たとえばオートアイリスなどによって構成され、レンズ制御回路１５０によって絞り１５４を変化させ、光学的な絞り値を得るように構成されている。
【００３３】
クイックリターンミラー１０２は、撮影レンズ２を通過する撮影光束をペンタプリズム１０７へ導くとともに、その一部を透過させてサブミラー１０３に導く。サブミラー１０３は、透過された撮影光束を焦点検出用センサユニット１０４へ導く。
【００３４】
ミラー駆動回路１０１は、クイックリターンミラー１０２を、ファインダにより被写体像を観察可能とする位置（１０２ｂ）と、撮影光束から待避する位置（１０２ａ）とへ駆動するためのものである。同時に、サブミラー１０３を、焦点検出用センサユニット１０４へ撮影光束を導く位置と、撮影光束から待避する位置とへ駆動する。具体的には、たとえばＤＣモータとギヤトレインなどから構成される。
【００３５】
１０４は不図示である結像面近傍に配置されたフィールドレンズ、反射ミラー及び、２次結像レンズ、絞り、複数のＣＣＤから成るラインセンサ等から構成されている周知の位相差方式の焦点検出用センサユニットである。焦点検出用センサユニット１０４から出力された信号は、焦点検出回路１０５へ供給され、被写体像信号に換算された後ＭＰＵ１００へ送信される。ＭＰＵ１００は被写体像信号に基づいて、位相差検出法による焦点検出演算を行う。そして、デフォーカス量およびデフォーカス方向を求め、これに基づき、レンズ制御回路１５０およびＡＦ駆動回路１５１を介して、撮影レンズ２内のフォーカスレンズ１５２を合焦位置まで駆動する。
【００３６】
ペンタプリズム１０７は、クイックリターンミラー１０２によって反射された撮影光束を正立正像に変換反射する光学部材である。使用者は、接眼レンズ群１２を介して、ペンタプリズム１０７で正立正像に変換された被写体像を観察することができる。
【００３７】
フォーカルプレーンシャッタ１１０は、ユーザがファインダにより被写体像を観察している時には撮影光束を遮る。また撮像時にはレリーズ信号に応じて、不図示の先羽根群と後羽根群の走行する時間差により所望の露光時間を得るように構成されている。さらには、ライブビューモードの際には、先羽根群のみ駆動させて、撮像装置に被写体光を届け、そのスルー画を表示させるように駆動させる事が出来る。フォーカルプレーンシャッタ１１０は、ＭＰＵ１００の指令を受けたシャッタ駆動回路１０９によって制御される。
【００３８】
撮像素子１１１は、撮像デバイスである。撮像デバイスとしては、ＣＣＤ型、ＣＭＯＳ型およびＣＩＤ型など様々な形態があり、何れの形態の撮像デバイスを採用してもよい。
【００３９】
Ａ／Ｄ変換器１１２は、撮像素子１１１のアナログ出力信号をデジタル信号に変換する。
【００４０】
１１３は映像信号処理回路であり、デジタル化された画像データに対してガンマ／ニー処理、フィルタ処理、モニタ表示用の情報合成処理など、ハードウエアによる画像処理全般を実行する。この映像信号処理回路１１３からの液晶モニタ表示用の画像データは、液晶モニタ駆動回路１１９を介して液晶モニタ１２０に表示される。
【００４１】
また、映像信号処理回路１１３は、ＭＰＵ１００の指示により、メモリコントローラ１１６を通じて、バッファメモリ１１５に画像データを保存することも可能である。更に、映像信号処理回路１１３は、ＪＰＥＧなどの画像データ圧縮処理を行う機能も有している。連写撮影など連続して撮影が行われる場合は、一旦バッファメモリ１１５に画像データを格納し、メモリコントローラ１１６を通して未処理の画像デーを順次読み出すことも可能である。これにより映像信号処理回路１１３は、Ａ／Ｄ変換器１１２から入力されてくる画像データの速度に関わらず、画像処理や圧縮処理を順次行うことが可能となる。
【００４２】
メモリコントローラ１１６は、外部インタフェース１１８（図１における端子カバー１０の内部に配置されている）から入力される画像データをメモリ１１７に記憶することや、メモリ１１７に記憶されている画像データを外部インタフェース１１８から出力する機能についても有する。なお、メモリ１１７は、カメラ１の側面のメディアカバー１４の内部に設けられたスロットを利用して着脱可能となる不図示のメモリーカードなどである。
【００４３】
スイッチセンス回路１２３は、各スイッチの操作状態に応じて入力信号をＭＰＵ１００に送信する。
【００４４】
シャッターボタン７は、第１ストロークによりオンするＳＷ１（７ａ）と、シャッターボタン７の第２ストロークによりオンするＳＷ２（７ｂ）で構成されている。ＳＷ２（７ｂ）がオンされると、撮影開始の指示がＭＰＵ１００に送信される。また、電子ダイヤル８、メインスイッチ１１、拡大釦１５、縮小釦１６、再生釦１７、ＩＮＦＯ．釦１８、ＭＥＮＵ釦１９、ＬＶ釦２０、ＡＶ／露出補正釦２１、消去釦２２、ＳＥＴ釦２３、十字キーＳＷ２４、モードダイヤル９、ポップアップ釦６が接続されている。
【００４５】
液晶モニタ駆動回路１１９は、ＭＰＵ１００の指示に従って、液晶モニタ１２０を駆動する。
【００４６】
タッチパネル装置１２１は、その光の透過率が液晶モニタ１２０の表示を妨げないように構成され、液晶モニタ１２０の表示面の上層に取り付けられ、バリアングル液晶表示部３０として一体的に構成されている。タッチパネル装置１２１における入力座標と液晶モニタ１２０の表示座標とが対応付けられており、あたかも使用者が液晶モニタ１２０に表示された画面を直接的に操作可能であるかのようなＧＵＩが提供される。タッチパネルとしては、抵抗膜方式、静電容量方式、表面弾性波方式、赤外線方式、電磁誘導方式、画像認識方式、光センサ方式等、様々な方式の物があるが、任意の方式のものを用いることが可能である。
【００４７】
モニタ回転検出器１２２は、液晶モニタ１２０やタッチパネル装置１２１などで構成されるタッチパネル機能を有するバリアングル液晶表示部３０の開放収納及び表裏などの状態を検出する。検出器としては、ホール素子や、ＰＩ、メカスイッチなど様々な方式の物が考えられるが、任意の方式の物を用いる事が可能である。バリアングル液晶表示部３０の開放状態、収納状態はその状態になるまでの所定の範囲をこえた際にその状態と検出される。
【００４８】
バッテリチェック回路１３１は、ＭＰＵ１００からの信号に従って、所定時間バッテリチェックを行い、その検出出力をＭＰＵ１００へ送る。
【００４９】
電源部１３０は、カメラの各要素に対して、必要な電源を電源供給回路１３２を介して供給する。
【００５０】
外部ストロボＩＦ部１２４は、アクセサリーシュー、アクセサリーシューベース、アクセサリーシュースプリングなどで構成されている。
【００５１】
内蔵フラッシュ制御装置１６０は、ＭＰＵ１００からの信号に従ってフレネルパネルやＸｅ管などで構成されるフラッシュ発光部４ａからのフラッシュ光による撮影を行う際に、フラッシュ発光部４ａをポップアップさせて、フラッシュ光による撮影を制御する。
【００５２】
図６は本実施の形態に係る撮像装置の例としてのカメラで、バリアングル液晶表示部３０が第１の表示状態（収納状態で液晶表示面３０ａが表を向いている状態）の図であり、液晶表示面には、カメラの各種情報を表示する画面の例を表している。
【００５３】
撮影モード表示部５０は、モードダイヤル９で設定された撮影モードを表示し、同図ではマニュアルモードが選択されている。
【００５４】
シャッタースピード表示部５１は、設定されているシャッタースピードを表示し、同図では１／１２５秒が設定されている。
【００５５】
絞り値表示部５２は、設定されている絞り値を表示し、同図ではＦ５．６が設定されている。
【００５６】
ＩＳＯ表示部５３は、設定ＩＳＯ感度を表示し、同図ではカメラが状況に応じてＩＳＯ感度を変更するＡＵＴＯモードに設定されている。
【００５７】
露出補正表示部５４は、撮影モードがオートの場合には、露出補正の設定値を、撮影モードがマニュアルの場合は、標準露光との差を表示すし、同図では標準露光との差が無い状態である事をしめしている。
【００５８】
調光補正量表示部５５は、フラッシュ撮影の際の光量の補正である調光補正量を表示し、同図では調光補正量が−２／３に設定されている。
【００５９】
ピクチャースタイル表示部５６は、記録する画像の仕上がり（絵作り）具合を好みの物に変更する事が可能なピクチャースタイルを表示し、同図では“Ｓ”という略称のスタンダードに設定されている。
【００６０】
ホワイトバランス表示部５７は、太陽光、日陰、白熱電球など光源に合わせて白を設定するための表示部であり、同図ではカメラが状況に合わせて自動的に変更するオートホワイトバランスに設定されている。
【００６１】
ＡＦモード表示部５８は合焦したら停止する「ＯＮＥ  ＳＨＯＴ」と常に合焦するように絶えず動かす「ＳＥＲＶＯ」のどちらが設定されているかを表示し、同図では「ＯＮＥ  ＳＨＯＴ」が設定されている。
【００６２】
ドライブモード表示部５９は、単写、連写、セルフタイマーなどのドライブモードを表示し、同図では単写が設定されている。
【００６３】
測光モード表示部６０は、分割測光、スポット測光などの測光モードを表示し、同図では分割測光が設定されている。
【００６４】
記録画質表示部６１は、記録する画素数と画質を表示しており同図ではＪＰＥＧの「ラージ」「ファイン」に設定されている。
【００６５】
電池残量表示部６２は、バーの表示個数で電池の残量を表示し、同図では電池残量が多い事を表示している。
【００６６】
撮影可能枚数表示部６３は、カメラに挿入されているメモリーカードに、記録画質表示部６１で設定されている記録画質で何枚撮影できるかを表示しており、同図では５１４枚の撮影が可能である。
【００６７】
本発明のカメラではタッチパネル機能を有しているので、使用者は同図においてメカ的なダイヤルを持ち、その設定を表示する撮影モード表示部５０、カメラのバッテリチェック回路１３１で一義的に決まる電池残量を表示している電池残量表示部６２、カメラに挿入されているメモリーカード容量で決まる撮影可能枚数表示部６３の３箇所以外の部分をタッチする事で、その表示部の内容を変更する事が出来る。変更の方法に関しては公知であるのでここでは説明を省略する。
【００６８】
図７は本実施の形態に係る撮像装置の例としてのカメラで、バリアングル液晶表示部３０が第２の表示状態（開放状態で液晶表示面３０ａが使用者側を向いている状態）の図であり、液晶表示面３０ａには、カメラの各種情報を表示する画面の例を表している。図６と同じ部分は説明を省いている。図６で説明した情報表示の横幅が狭くなり、左側にバリアングル液晶表示用ヒンジ部３１近傍に配置されている操作釦がタッチで操作できるように液晶表示面に追加されている。
【００６９】
タッチ画面ポップアップ釦７０は、撮影レンズ２の横に配置されているフラッシュ収納部４をポップアップさせるためのポップアップ釦６の代わり、タッチ画面ＭＥＮＵ釦７１は、バリアングル液晶表示用ヒンジ部３１の上に配置されているＭＥＮＵ釦１９の代わり、タッチ画面ＩＮＦＯ．釦７２は、バリアングル液晶表示用ヒンジ部３１の上に配置されているＩＮＦＯ．釦１８の代わりを行う事が出来る。これによって、バリアングル液晶表示部３０が第２の表示状態であっても釦へのアクセスが近くなり操作性を損なう事がない。
【００７０】
また、今回、ポップアップ釦６、ＭＥＮＵ釦１９、ＩＮＦＯ．釦１８のとしたが、これに限られるものではない。また、バリアングル液晶表示用ヒンジ部３１近傍の操作釦を全てタッチ画面に代替釦として搭載する必要はなく、重要度に応じて搭載する釦を選ぶようにしてもよい。
【００７１】
更には、動画撮影モードに設定されている時には、フラッシュ撮影に関する釦を搭載する必要はない。
【００７２】
また、同図においてタッチ画面用代替釦はバリアングル液晶表示部３０の水平方向中心線から上下に割り振られるように配置されている。本実施例では、タッチ画面ＭＥＮＵ釦７１がバリアングル液晶表示部３０のＡとＢが同じ長さの中央に配置され、タッチ画面ポップアップ釦７０と、タッチ画面ＩＮＦＯ．釦７２がその上下に配置されている。これは、タッチ操作の際に誤動作を防止するためにバリアングル液晶表示部３０の端面から遠く配置する為である。
【００７３】
図８は図７でバリアングル液晶表示部３０が第２の表示状態（開放状態で液晶表示面が使用者側を向いている状態）でバリアングル液晶表示用ヒンジ部３１近傍に配置されている操作釦がタッチで操作できるように液晶表示面に追加された際に、タッチ画面ポップアップ釦７０をタッチ操作した時に、カメラ１のフラッシュ収納部４がポップアップした状態の図である。
【００７４】
図９は図７でバリアングル液晶表示部３０が第２の表示状態（開放状態で液晶表示面が使用者側を向いている状態）でバリアングル液晶表示用ヒンジ部３１近傍に配置されている操作釦がタッチで操作できるように液晶表示面に追加された際に、タッチ画面ＭＥＮＵ釦７１をタッチ操作した際に、液晶表示面３０ａにＭＥＮＵ画面が表示された状態の図である。ＭＥＮＵ画面７３では、十字キーＳＷ２４の上下で項目を選択し、ＳＥＴ釦２３で内容を決定する公知であるのでここでは説明を省略する。
【００７５】
次に、上記構成のカメラの実際の動きを図１０のフローチャートを使って説明する。
【００７６】
ステップＳ１で、ＭＰＵ１００は、モニタ回転検出器１２２の検出結果から、バリアングル液晶表示部３０がカメラ１の横に開放状態かどうかを判断する。バリアングル液晶表示部３０が開放状態（「第２の表示状態」）であると判断されたらステップＳ２へ進み、収納状態であると判断されたら、ステップＳ５へ進む。
【００７７】
ステップＳ２で、ＭＰＵ１００は、バリアングル液晶表示部３０が開放状態（「第２の表示状態」）であることから、液晶モニタ１２０に、バリアングル液晶表示用ヒンジ部３１の近傍にある釦を追加アイコンとして表示するように液晶モニタ駆動回路１１９を制御し表示させる（図７の状態）。
【００７８】
ステップＳ３で、ＭＰＵ１００は、タッチパネル装置１２１からタッチ操作が行われたどうかを検出する。タッチ操作が行われればステップＳ４に進み、行われなければ待機する。
【００７９】
ステップＳ４で、ステップＳ３でタッチ操作が行われたアイコンのコマンドを実行する（例えば、ステップＳ３でタッチ画面ポップアップ釦７０がタッチ操作された場合は、図８の様にフラッシュ収納部４がポップアップし、タッチ画面ＭＥＮＵ釦７１がタッチ操作された場合は、図９の様に液晶表示面３０ａにＭＥＮＵ画面を表示する。）。
【００８０】
ステップＳ５で、ＭＰＵ１００は、ステップＳ１でのバリアングル液晶表示部３０が収納状態である事に引き続きモニタ回転検出器１２２の検出結果から、バリアングル液晶表示部３０の液晶表示面３０ａが表向きか裏向きかを判断する。液晶表示面３０ａが表向き（「第１の表示状態」）であると判断されたらステップＳ６へ進み、裏向き状態（「閉じ状態」）であると判断されたら、ステップＳ９へ進む。
【００８１】
ステップＳ６で、ＭＰＵ１００は、バリアングル液晶表示部３０が収納状態で表向き（「第１の表示状態」）であることから、液晶モニタ１２０に、バリアングル液晶表示用ヒンジ部３１の近傍にある釦を追加アイコンとして表示する事無く液晶モニタ駆動回路を制御し表示させる（図６の状態）。
【００８２】
ステップＳ７で、ＭＰＵ１００は、タッチパネル装置１２１からタッチ操作が行われたどうかを検出する。タッチ操作が行われればステップＳ８に進み、行われなければ待機する。
【００８３】
ステップＳ８で、ステップＳ７でタッチ操作が行われたアイコンのコマンドを実行する。
【００８４】
ステップＳ９で、ステップＳ１及びステップＳ５より、ＭＰＵ１００は、バリアングル液晶表示部３０がカメラ１に収納状態で液晶表示面３０ａが裏向き状態である（「閉じ状態」）であると判断し、液晶モニタ駆動回路１１９を制御し、非表示（非点灯）状態とする。
【００８５】
以下、本発明のタッチパネル機能を有するバリアングル液晶表示部を持つ撮像装置に関して別の実施形態について説明する。
【００８６】
図１１は第２の実施の形態に係る撮像装置の例としてのカメラで、タッチパネル機能を有する下開きバリアングル液晶表示部３２（以降、下開きバリアングル液晶表示部３２と略して記載する）が第１の表示状態（収納状態で下開きバリアングル液晶表示面３２ａが表を向いている状態）の図であり、下開きバリアングル液晶表示面３２ａには、カメラの各種情報を表示する画面の例を表している。
【００８７】
下開きバリアングル液晶表示部３２は、カメラの下側に設けられた２軸に回動可能な下開きバリアングル液晶表示用ヒンジ部３３によって開閉自在に駆動する事が出来る。カメラ１の光学ファインダを挟んで背面から見て左側には、画像を再生する再生釦１７、画像を消去する消去釦２２が配置されている。下開きバリアングル液晶表示用ヒンジ部３３の右側には、下開きバリアングル液晶表示部３２に表示する表示内容を切り替えるＩＮＦＯ．釦１８、そして左側にはカメラ１の各種設定を変更するＭＥＮＵ画面を表示させるＭＥＮＵ釦１９が配置されている。
【００８８】
図１２は第二の実施の形態に係る撮像装置の例としてのカメラで、下開きバリアングル液晶表示部３２が第２の表示状態（開放状態で下開きバリアングル液晶表示面３２ａが使用者側を向いている状態）の図であり、下開きバリアングル液晶表示面３２ａには、カメラの各種情報を表示する画面の例を表している。図６と同じ部分は説明を省いている。
【００８９】
図６で説明した情報表示の縦幅が狭くなり、下側に下開きバリアングル液晶表示用ヒンジ部３３近傍に配置されている操作釦がタッチで操作できるように下開きバリアングル液晶表示面３２ａに追加されている。
【００９０】
タッチ画面ＭＥＮＵ釦７１は、下開きバリアングル液晶表示用ヒンジ部３３の左側に配置されているＭＥＮＵ釦１９の代わり、タッチ画面ＩＮＦＯ．釦７２は、下開きバリアングル液晶表示用ヒンジ部３３の右側に配置されているＩＮＦＯ．釦１８の代わりを行う事が出来る。これによって、下開きバリアングル液晶表示部３２が第２の表示状態であっても釦へのアクセスが近くなり操作性を損なう事がない。
【００９１】
また、今回、ＭＥＮＵ釦１９、ＩＮＦＯ．釦１８のとしたが、これに限られるものではない。また、下開きバリアングル液晶表示用ヒンジ部３３近傍の操作釦を全てタッチ画面に代替釦として搭載する必要はなく、重要度に応じて搭載する釦を選ぶようにしてもよい。更には、動画撮影モードに設定されている時には、フラッシュ撮影に関する釦を搭載する必要はない。
【００９２】
また、同図においてタッチ画面用代替釦は下開きバリアングル液晶表示部３２の鉛直方向中心線から左右に割り振られるように配置されている。タッチ画面ＭＥＮＵ釦７１が下開きバリアングル液晶表示部３２のＣとＤが同じ長さの鉛直方向中心線から同一距離離れた場所に、タッチ画面ＩＮＦＯ．釦７２とタッチ画面ＭＥＮＵ釦７１が配置されている。これは、タッチ操作の際に誤動作を防止するために下開きバリアングル液晶表示部３２の角部から遠く配置する為である。
【００９３】
以上、本発明の好ましい実施形態について説明したが、本発明はこれらの実施形態に限定されず、その要旨の範囲内で種々の変形及び変更が可能である。
【符号の説明】
【００９４】
１  カメラ、６  ポップアップ釦、１８  ＩＮＦＯ．釦、１９  ＭＥＮＵ釦、
３０  タッチパネル機能を有するバリアングル液晶表示部（バリアングル液晶表示部３０と略して記載）、
３０ａ  液晶表示面、３１  バリアングル液晶表示用ヒンジ部、
３２  タッチパネル機能を有する下開きバリアングル液晶表示部３２（下開きバリアングル液晶表示部３２と略して記載）、
３３  下開きバリアングル液晶表示用ヒンジ部、７０  タッチ画面ポップアップ釦、
７１  タッチ画面ＭＥＮＵ釦、７２  タッチ画面ＩＮＦＯ．釦
【図１】
2017173472.tif 000003
【図２】
2017173472.tif 000004
【図３】
2017173472.tif 000005
【図４】
2017173472.tif 000006
【図５】
2017173472.tif 000007
【図６】
2017173472.tif 000008
【図７】
2017173472.tif 000009
【図８】
2017173472.tif 000010
【図９】
2017173472.tif 000011
【図１０】
2017173472.tif 000012
【図１１】
2017173472.tif 000013
【図１２】
2017173472.tif 000014